(57)【要約】【課題】太陽の日差しに晒される設置対象を覆うことにより、設置対象の温度上昇を抑制し、省エネルギ化を図ることができるとともに、耐久性、取扱性及び意匠性に優れた遮熱シートを提供すること。【解決手段】アルミニウム粉末を練り込み均一に分散させた合成樹脂材料から形成したアルミニウム粉末含有リボン糸１１ａと、炭素粉末を練り込み均一に分散させた合成樹脂材料から形成した炭素粉末含有リボン糸１１ｂとを重ね合わせた複合リボン糸１１を、アルミニウム粉末含有リボン糸１１ａの面と炭素粉末含有リボン糸１１ｂの面がそれぞれ同じ方向を向くように並列し、この複合リボン糸１１と直交する糸１２により編成する。【選択図】図１
2006118057.tif 000002
【特許請求の範囲】
【請求項１】
アルミニウム粉末を練り込み均一に分散させた合成樹脂材料から形成したアルミニウム粉末含有リボン糸と、炭素粉末を練り込み均一に分散させた合成樹脂材料から形成した炭素粉末含有リボン糸とを重ね合わせた複合リボン糸を、アルミニウム粉末含有リボン糸の面と炭素粉末含有リボン糸の面がそれぞれ同じ方向を向くように並列し、該複合リボン糸と直交する糸により編成してなることを特徴とする遮熱シート。
【請求項２】
アルミニウム粉末含有リボン糸と炭素粉末含有リボン糸が、各々５００〜２０００デニールで、幅２〜７ｍｍの糸からなることを特徴とする請求項１記載の遮熱シート。
【請求項３】
請求項１又は２記載の遮熱シートをアルミニウム粉末含有リボン糸の面を表側にして張設したことを特徴とする遮熱シートの設置構造。
【請求項４】
遮熱シートを、設置対象の表面から５０ｃｍ以内の位置に張設したことを特徴とする請求項３記載の遮熱シートの設置構造。
【請求項５】
遮熱シートの端縁にリング部材を配設し、該リング部材を設置対象に沿って敷設したガイド部材に移動可能に挿通するとともに、リング部材に取り付けた索条を操作することにより遮熱シートを開閉可能にしたことを特徴とする請求項３又は４記載の遮熱シートの設置構造。
【発明の詳細な説明】
【技術分野】
【０００１】
本発明は、遮熱シート及びその設置構造に関し、特に、太陽の日差しに晒される建造物、空調機の室外機、屋外休憩場等（本明細書において、「設置対象」という。）を覆うことにより、設置対象の温度上昇を抑制し、省エネルギ化を図ることができる遮熱シート及びその設置構造に関するものである。
【背景技術】
【０００２】
従来、太陽の日差しに晒される建造物、空調機の室外機、屋外休憩場等を覆う材料として「よしず」が汎用されている。
しかしながら、「よしず」は、長期間の使用により腐食する等の問題があり、また、設置面積が広い場合には、台風の際や夏期以外の時期に撤去するのに手数を要するという問題があった。
【発明の開示】
【発明が解決しようとする課題】
【０００３】
本発明は、上記従来の「よしず」の有する問題点に鑑み、太陽の日差しに晒される設置対象を覆うことにより、設置対象の温度上昇を抑制し、省エネルギ化を図ることができるとともに、耐久性、取扱性及び意匠性に優れた遮熱シート及びその設置構造を提供することを目的とする。
【課題を解決するための手段】
【０００４】
上記目的を達成するため、本発明の遮熱シートは、アルミニウム粉末を練り込み均一に分散させた合成樹脂材料から形成したアルミニウム粉末含有リボン糸と、炭素粉末を練り込み均一に分散させた合成樹脂材料から形成した炭素粉末含有リボン糸とを重ね合わせた複合リボン糸を、アルミニウム粉末含有リボン糸の面と炭素粉末含有リボン糸の面がそれぞれ同じ方向を向くように並列し、該複合リボン糸と直交する糸により編成してなることを特徴とする。
【０００５】
この場合において、アルミニウム粉末含有リボン糸と炭素粉末含有リボン糸を、各々５００〜２０００デニールで、幅２〜７ｍｍの糸から構成することができる。
【０００６】
また、上記遮熱シートを使用する本発明の遮熱シートの設置構造は、遮熱シートアルミニウム粉末含有リボン糸の面を表側（太陽の日差しに晒される側）にして張設したことを特徴とする。
【０００７】
この場合において、遮熱シートを、設置対象の表面から５０ｃｍ以内の位置に張設することができる。
【０００８】
また、遮熱シートの端縁にリング部材を配設し、該リング部材を設置対象に沿って敷設したガイド部材に移動可能に挿通するとともに、リング部材に取り付けた索条を操作することにより遮熱シートを開閉可能にすることができる。
【発明の効果】
【０００９】
本発明の遮熱シートによれば、アルミニウム粉末を練り込み均一に分散させた合成樹脂材料から形成したアルミニウム粉末含有リボン糸と、炭素粉末を練り込み均一に分散させた合成樹脂材料から形成した炭素粉末含有リボン糸とを重ね合わせた複合リボン糸を、アルミニウム粉末含有リボン糸の面と炭素粉末含有リボン糸の面がそれぞれ同じ方向を向くように並列し、該複合リボン糸と直交する糸により編成するようにしているので、この遮熱シートによって太陽の日差しに晒される設置対象を覆うことによって、光（熱）線反射性能の高いアルミニウム粉末含有リボン糸と、光（熱）線吸収性能の高い炭素粉末含有リボン糸との相乗作用によって設置対象の温度上昇を抑制し、省エネルギ化を図ることができるとともに、この遮熱シートは、長期間の使用によっても腐食することがなく耐久性に優れており、また、嵩張らずにコンパクトに折り畳むことが可能で、例えば、台風の際や夏期以外の時期に撤去するのに手数を要さず、取扱性に優れており、さらに、アルミニウム粉末含有リボン糸は明るい色であるため意匠性に優れている。
【００１０】
また、アルミニウム粉末含有リボン糸と炭素粉末含有リボン糸を、各々５００〜２０００デニールで、幅２〜７ｍｍの糸から構成することにより、遮熱シートの柔軟性及び通気性を良好にすることができる。
【００１１】
一方、本発明の遮熱シートの設置構造によれば、遮熱シートをアルミニウム粉末含有リボン糸の面を表側（太陽の日差しに晒される側）にして張設するようにしているので、この遮熱シートによって太陽の日差しに晒される設置対象を覆うことによって、光（熱）線反射性能の高いアルミニウム粉末含有リボン糸と、光（熱）線吸収性能の高い炭素粉末含有リボン糸との相乗作用によって設置対象の温度上昇を抑制し、省エネルギ化を図ることができるとともに、この遮熱シートの設置構造は、遮熱シートが長期間の使用によっても腐食することがなく耐久性に優れており、また、嵩張らずにコンパクトに折り畳むことが可能で、例えば、台風の際や夏期以外の時期に撤去するのに手数を要さず、取扱性に優れており、さらに、アルミニウム粉末含有リボン糸は明るい色であるため意匠性に優れており、周囲の景観を損ねることなく適用することができる。
【００１２】
また、遮熱シートを、設置対象の表面から５０ｃｍ以内の位置に張設することにより、遮熱効果を有効に発揮させることができる。
【００１３】
また、遮熱シートの端縁にリング部材を配設し、該リング部材を設置対象に沿って敷設したガイド部材に移動可能に挿通するとともに、リング部材に取り付けた索条を操作することにより遮熱シートを開閉可能にすることにより、嵩張らずにコンパクトに折り畳むことが可能で、例えば、台風の際や夏期以外の時期に撤去するのに手数を要さず、取扱性に優れている特性を一層有効に発揮させることができる。
【発明を実施するための最良の形態】
【００１４】
以下、本発明の遮熱シート及びその設置構造の実施の形態を、図面に基づいて説明する。
【実施例１】
【００１５】
図１に、本発明の遮熱シート一実施例を示す。
この遮熱シート１は、アルミニウム粉末を練り込み均一に分散させた合成樹脂材料から形成したアルミニウム粉末含有リボン糸１１ａと、炭素粉末を練り込み均一に分散させた合成樹脂材料から形成した炭素粉末含有リボン糸１１ｂとを重ね合わせた複合リボン糸１１を、アルミニウム粉末含有リボン糸１１ａの面と炭素粉末含有リボン糸１１ｂの面がそれぞれ同じ方向を向くように並列し、この複合リボン糸１１と直交する糸１２により編成して構成したものである。
【００１６】
この場合において、アルミニウム粉末含有リボン糸１１ａ及び炭素粉末含有リボン糸１１ｂを構成する合成樹脂材料には、特に限定されるものではないが、例えば、ポリプロピレン樹脂、ポリエチレン樹脂、ポリ塩化ビニル樹脂、ポリアミド樹脂等の合成樹脂、特に好ましくは、ポリプロピレン樹脂を用いることができる。
なお、アルミニウム粉末含有リボン糸１１ａには、必要に応じて、着色剤を添加することにより、銀色（灰色）以外の色に着色することができる。
【００１７】
そして、アルミニウム粉末含有リボン糸１１ａ及び炭素粉末含有リボン糸１１ｂは、特に限定されるものではないが、好ましくは、各々５００〜２０００デニールで、幅Ｗ：２〜７ｍｍの糸から構成するようにする。
これにより、遮熱シート１の柔軟性及び通気性（通水性）を良好にすることができる。  なお、リボン糸１１ａ、１１ｂの幅Ｗは、複合リボン糸１１を編成する際に複合リボン糸１１の表裏が向く方向を制御できる限りにおいて２ｍｍより狭くしたり、また、７ｍｍより広くすることも可能であるが、編成する際の作業性及び遮熱シート１の柔軟性及び通気性（通水性）等の点から、幅Ｗを２〜７ｍｍ程度に設定することが望ましい。
【００１８】
また、複合リボン糸１１を編成する糸１２には、特に限定されるものではないが、例えば、ポリエチレン樹脂、ポリアミド樹脂等からなる合成繊維糸、特に好ましくは、ポリエチレン樹脂からなる単糸を用いることができる。
【００１９】
表１に、各種遮熱材料の特性を示す。
表１において、遮熱率（％）は、太陽の日差しに晒される状態での遮熱率を０％、アルミ箔を表面に貼付した合板の遮熱率を１００％として比較した数値を示す。
表１からも明らかなように、本発明の遮熱シート１は、光（熱）線反射性能の高いアルミニウム粉末含有リボン糸１１ａと、光（熱）線吸収性能の高い炭素粉末含有リボン糸１１ｂとの相乗作用によって、「よしず」の遮熱率（８２％）より高い遮熱率（８６％）を有していることが確認できた。
【００２０】
【表１】
2006118057.tif 000003
【実施例２】
【００２１】
図２に、本発明の遮熱シートの設置構造の第１実施例を示す。
この遮熱シートの設置構造は、上記のアルミニウム粉末含有リボン糸１１ａと炭素粉末含有リボン糸１１ｂとを重ね合わせた複合リボン糸１１を、アルミニウム粉末含有リボン糸１１ａの面と炭素粉末含有リボン糸１１ｂの面がそれぞれ同じ方向を向くように並列し、この複合リボン糸１１と直交する糸１２により編成して構成した遮熱シート１を、アルミニウム粉末含有リボン糸１１ａの面を表側（太陽の日差しに晒される側）にして張設するようにしたものである。
【００２２】
この場合において、遮熱シート１による遮熱効果を有効に発揮させることができるように、設置対象Ｂ（本実施例においては、建築物の屋上）の表面から５０ｃｍ以内の位置に張設することが望ましい。
遮熱シート１を、設置対象Ｂの表面から５０ｃｍより離して張設すると、周囲からの輻射熱によって遮熱シート１の遮熱効果が低下することとなり好ましくない。
なお、遮熱シート１は、通気性（通水性）を有することから、設置対象Ｂの表面に近接、例えば、５ｃｍ程度まで近接して張設することができるが、この場合でも、遮熱シート１の閉鎖時（折り畳み時）を含め、遮熱シート１と設置対象Ｂの表面とが直接接触しないようにすることが好ましい。
【００２３】
遮熱シート１を張設するに際しては、遮熱シート１の端縁にリング部材１３を配設し、このリング部材１３を設置対象Ｂに沿って敷設したガイド部材２に移動可能に挿通するとともに、リング部材１３に取り付けた索条１４をリール１５を操作することにより遮熱シート１を開閉可能にするようにしている。
ここで、ガイド部材２は、特に限定されるものではないが、例えば、パイプ部材と連結部材とからなる組み立て式のパイプ構造体でもって構成することができる。
また、リール１５の操作は、手動のほか、モータ等の駆動機構を用いて行うようにすることもできる。
なお、遮熱シート１の張設方向は、特に限定されるものではないが、遮熱シート１の折り畳み方向と糸１２の方向とが一致するようにすることが望ましい。
【００２４】
この遮熱シートの設置構造は、遮熱シート１をアルミニウム粉末含有リボン糸１１ａの面を表側（太陽の日差しに晒される側）にして張設するようにしているので、この遮熱シート１によって太陽の日差しに晒される設置対象Ｂを覆うことによって、光（熱）線反射性能の高いアルミニウム粉末含有リボン糸１１ａと、光（熱）線吸収性能の高い炭素粉末含有リボン糸１１ｂとの相乗作用によって設置対象Ｂの温度上昇を抑制し、省エネルギ化を図ることができるとともに、この遮熱シートの設置構造は、遮熱シート１が長期間の使用によっても腐食することがなく耐久性に優れており、また、嵩張らずにコンパクトに折り畳むことが可能で、例えば、台風の際や夏期以外の時期に撤去するのに手数を要さず、取扱性に優れており、さらに、アルミニウム粉末含有リボン糸１１ａは明るい色であるため意匠性に優れており、周囲の景観を損ねることなく適用することができる。
【実施例３】
【００２５】
図３に、本発明の遮熱シートの設置構造の第２実施例を示す。
この遮熱シートの設置構造は、上記第１実施例と同様、アルミニウム粉末含有リボン糸１１ａと炭素粉末含有リボン糸１１ｂとを重ね合わせた複合リボン糸１１を、アルミニウム粉末含有リボン糸１１ａの面と炭素粉末含有リボン糸１１ｂの面がそれぞれ同じ方向を向くように並列し、この複合リボン糸１１と直交する糸１２により編成して構成した遮熱シート１を、アルミニウム粉末含有リボン糸１１ａの面を表側（太陽の日差しに晒される側）にして、設置対象Ｃ（本実施例においては、空調機の室外機）の前面に張設するようにしたものである。
なお、本実施例のその他の構成及び作用は、上記第１実施例と同様である。
【００２６】
以上、本発明の遮熱シート及びその設置構造について、その実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２７】
本発明の遮熱シート及びその設置構造は、太陽の日差しに晒される設置対象を覆うことにより、設置対象の温度上昇を抑制し、省エネルギ化を図ることができるとともに、耐久性、取扱性及び意匠性に優れていることから、建造物や空調機の室外機を覆う材料の用途に好適に用いることができるほか、例えば、屋外休憩場等の遮熱の用途に広く用いることができる。
【図面の簡単な説明】
【００２８】
【図１】本発明の遮熱シートの一実施例を示し、（ａ）は遮熱シートの表側、（ｂ）は遮熱シートの裏側、（ｃ）は遮熱シートの断面の説明図である。
【図２】本発明の遮熱シートの設置構造の第１実施例を示し、（ａ）は遮熱シートの設置状態を示す斜視図、（ｂ）は遮熱シートを張設した状態を示す正面図、（ｃ）は遮熱シートを折り畳んだ状態を示す正面図である。
【図３】本発明の遮熱シートの設置構造の第２実施例を示す遮熱シートの設置状態を示す斜視図である。
【符号の説明】
【００２９】
１    遮熱シート
１１ａ  アルミニウム粉末含有リボン糸
１１ｂ  炭素粉末含有リボン糸
１２  糸
１３  リング部材
１４  索条
１５  リール
２    ガイド部材
Ｂ    設置対象（建築物の屋上）
Ｃ    設置対象（空調機の室外機）
【図１】
2006118057.tif 000004
【図２】
2006118057.tif 000005
【図３】
2006118057.tif 000006